(57)【要約】【課題】専門的な知識を必要とすることなく、対象となる圃場での栽培に適した農作物の選定を可能にし得る、栽培作物選定支援装置、栽培作物選定支援方法、及びプログラムを提供する。【解決手段】栽培作物選定支援装置１０は、特定の圃場に関する情報を収集する、情報収集部１１と、サンプルとなる圃場に関する情報と前記サンプルとなる圃場で生産された農作物の実績に関する情報との関係を、機械学習することによって作成された、予測モデル１４に、情報収集部１１によって収集された情報を、適用することによって、１又は２以上の農作物について、特定の圃場において栽培した場合の実績の予測値を算出する、予測値算出部１２と、１又は２以上の農作物について算出された予測値に基づいて、特定の圃場において栽培に適した農作物を選出する、農作物選出部１３と、を備えている。【選択図】図１
2019160246.tif 000002
【特許請求の範囲】
【請求項１】
特定の圃場に関する情報を収集する、情報収集部と、
サンプルとなる圃場に関する情報と前記サンプルとなる圃場で生産された農作物の実績に関する情報との関係を、機械学習することによって作成された、予測モデルに、前記情報収集部によって収集された前記情報を、適用することによって、１又は２以上の農作物について、前記特定の圃場において栽培した場合の実績の予測値を算出する、予測値算出部と、
１又は２以上の農作物について算出された前記予測値に基づいて、前記特定の圃場において栽培に適した農作物を選出する、農作物選出部と、
を備えている、
ことを特徴とする栽培作物選定支援装置。
【請求項２】
請求項１に記載の栽培作物選定支援装置であって、
前記サンプルとなる圃場に関する情報を説明変数とし、前記サンプルとなる圃場で生産された農作物の実績に関する情報を目的変数として、機械学習を実行することによって、前記予測モデルを作成する、予測モデル作成部を更に備えている、
ことを特徴とする栽培作物選定支援装置。
【請求項３】
請求項２に記載の栽培作物選定支援装置であって、
前記特定の圃場に関する情報及び前記サンプルとなる圃場に関する情報が、当該圃場の土壌の特性に関する情報を含み、
前記予測モデルにおける前記目的変数を増加させたときの前記説明変数の変化量と、前記予測モデルにおいて前記説明変数に設定されている重みとに基づいて、前記特定の圃場の土壌の改良についてのアドバイスを作成する、アドバイス作成部を更に備えている、
ことを特徴とする栽培作物選定支援装置。
【請求項４】
請求項１または２に記載の栽培作物選定支援装置であって、
前記特定の圃場に関する情報及び前記サンプルとなる圃場に関する情報が、当該圃場の土壌の特性に関する情報と、前記圃場の環境に関する情報とを含む、
ことを特徴とする栽培作物選定支援装置。
【請求項５】
請求項１または２に記載の栽培作物選定支援装置であって、
前記特定の圃場に関する情報及び前記サンプルとなる圃場に関する情報が、当該圃場において測定された土壌光学反射スペクトルデータを含む、
ことを特徴とする栽培作物選定支援装置。
【請求項６】
（ａ）特定の圃場に関する情報を収集する、ステップと、
（ｂ）サンプルとなる圃場に関する情報と前記サンプルとなる圃場で生産された農作物の実績に関する情報との関係を、機械学習することによって作成された、予測モデルに、前記（ａ）のステップによって収集された前記情報を、適用することによって、１又は２以上の農作物について、前記特定の圃場において栽培した場合の実績の予測値を算出する、ステップと、
（ｃ）１又は２以上の農作物について算出された前記予測値に基づいて、前記特定の圃場において栽培に適した農作物を選出する、ステップと、
を有する、
ことを特徴とする栽培作物選定支援方法。
【請求項７】
請求項６に記載の栽培作物選定支援方法であって、
（ｄ）前記サンプルとなる圃場に関する情報を説明変数とし、前記サンプルとなる圃場で
生産された農作物の実績に関する情報を目的変数として、機械学習を実行することによって、前記予測モデルを作成する、ステップを更に有している、
ことを特徴とする栽培作物選定支援方法。
【請求項８】
請求項７に記載の栽培作物選定支援方法であって、
前記特定の圃場に関する情報及び前記サンプルとなる圃場に関する情報が、当該圃場の土壌の特性に関する情報を含み、
当該栽培作物選定支援方法が、
（ｅ）前記予測モデルにおける前記目的変数を増加させたときの前記説明変数の変化量と、前記予測モデルにおいて前記説明変数に設定されている重みとに基づいて、前記特定の圃場の土壌の改良についてのアドバイスを作成する、ステップを更に有している、
ことを特徴とする栽培作物選定支援方法。
【請求項９】
請求項６または７に記載の栽培作物選定支援方法であって、
前記特定の圃場に関する情報及び前記サンプルとなる圃場に関する情報が、当該圃場の土壌の特性に関する情報と、前記圃場の環境に関する情報とを含む、
ことを特徴とする栽培作物選定支援方法。
【請求項１０】
請求項６または７に記載の栽培作物選定支援方法であって、
前記特定の圃場に関する情報及び前記サンプルとなる圃場に関する情報が、当該圃場において測定された土壌光学反射スペクトルデータを含む、
ことを特徴とする栽培作物選定支援方法。
【請求項１１】
コンピュータに、
（ａ）特定の圃場に関する情報を収集する、ステップと、
（ｂ）サンプルとなる圃場に関する情報と前記サンプルとなる圃場で生産された農作物の実績に関する情報との関係を、機械学習することによって作成された、予測モデルに、前記（ａ）のステップによって収集された前記情報を、適用することによって、１又は２以上の農作物について、前記特定の圃場において栽培した場合の実績の予測値を算出する、ステップと、
（ｃ）１又は２以上の農作物について算出された前記予測値に基づいて、前記特定の圃場において栽培に適した農作物を選出する、ステップと、
を実行させる、
ことを特徴とするプログラム。
【請求項１２】
請求項１１に記載のプログラムであって、
前記コンピュータに、
（ｄ）前記サンプルとなる圃場に関する情報を説明変数とし、前記サンプルとなる圃場で生産された農作物の実績に関する情報を目的変数として、機械学習を実行することによって、前記予測モデルを作成する、ステップを更に実行させる、
ことを特徴とするプログラム。
【請求項１３】
請求項１２に記載のプログラムであって、
前記特定の圃場に関する情報及び前記サンプルとなる圃場に関する情報が、当該圃場の土壌の特性に関する情報を含み、
前記コンピュータに、
（ｅ）前記予測モデルにおける前記目的変数を増加させたときの前記説明変数の変化量と、前記予測モデルにおいて前記説明変数に設定されている重みとに基づいて、前記特定の圃場の土壌の改良についてのアドバイスを作成する、ステップを更に実行させる、
ことを特徴とするプログラム。
【請求項１４】
請求項１１または１２に記載のプログラムであって、
前記特定の圃場に関する情報及び前記サンプルとなる圃場に関する情報が、当該圃場の土壌の特性に関する情報と、前記圃場の環境に関する情報とを含む、
ことを特徴とするプログラム。
【請求項１５】
請求項１１または１２に記載のプログラムであって、
前記特定の圃場に関する情報及び前記サンプルとなる圃場に関する情報が、当該圃場において測定された土壌光学反射スペクトルデータを含む、
ことを特徴とするプログラム。
【発明の詳細な説明】
【技術分野】
【０００１】
本発明は、各圃場において栽培に適した作物の選定を支援するための、栽培作物選定支援装置、及び栽培作物選定支援方法に関し、更には、これらを実現するためのプログラムに関する。
【背景技術】
【０００２】
従来から、露地栽培において、圃場に作付けされ農作物の種類は、圃場がある地域の気候、日当たり、土質、市場の要求等に基づいて、生産者によって任意に決定されている。このため、作付けしてみたが、農作物が圃場に合わずに、予定した、収量が得られなかったり、品質が低かったり、といった事態が発生する可能性がある。
【０００３】
このような事態を鑑み、圃場にあった作物を選出するための技術が開示されている（例えば、特許文献１及び２参照）。具体的には、特許文献１には、圃場に最適な農作物を提示するシステムが開示されている。特許文献１に開示されたシステムは、農作物の品種毎に土壌条件を登録しているデータベースに、土壌分析装置から得られた圃場の土壌の分析結果を、照合することで、最適な農作物を選出し、選出した農作物を画面に表示する。また、このシステムは、農作物の指定を受けた場合は、指定された農作物に適した土壌条件と、同情分析装置の分析結果とを比較し、土壌改良のための施策を特定することもできる。
【０００４】
また、特許文献２にも、圃場に最適な農作物を提示するシステムが開示されている。特許文献２に開示されたシステムは、圃場の土壌の成分を示す土壌分析情報、農作物の市場価格情報、農作物の栽培情報、及び圃場の地域の年間の気象情報に基づいて、作付けすべき農作物を提案する。
【先行技術文献】
【特許文献】
【０００５】
【特許文献１】特開２０００−８３４７６号公報
【特許文献２】特開２００５−８０５１４号公報
【発明の概要】
【発明が解決しようとする課題】
【０００６】
しかしながら、特許文献１に開示されたシステムでは、事前に膨大なデータを収集して、データベースを事前に構築しておく必要がある。そして、このようなデータベースの構築には、熟練の生産者又は専門家の知識が必要となるので、時間及びコストがかかってしまう。また、特許文献２に開示されたシステムでも、同様のデータベースが必要になると考えられるので、同様の問題が生じている。
【０００７】
本発明の目的の一例は、上記問題を解消し、専門的な知識を必要とすることなく、対象となる圃場での栽培に適した農作物の選定を可能にし得る、栽培作物選定支援装置、栽培作物選定支援方法、及びプログラムを提供することにある。
【課題を解決するための手段】
【０００８】
上記目的を達成するため、本発明の一側面における栽培作物選定支援装置は、
特定の圃場に関する情報を収集する、情報収集部と、
サンプルとなる圃場に関する情報と前記サンプルとなる圃場で生産された農作物の実績に関する情報との関係を、機械学習することによって作成された、予測モデルに、前記情
報収集部によって収集された前記情報を、適用することによって、１又は２以上の農作物について、前記特定の圃場において栽培した場合の実績の予測値を算出する、予測値算出部と、
１又は２以上の農作物について算出された前記予測値に基づいて、前記特定の圃場において栽培に適した農作物を選出する、農作物選出部と、
を備えている、
ことを特徴とする。
【０００９】
また、上記目的を達成するため、本発明の一側面における栽培作物選定支援方法は、
（ａ）特定の圃場に関する情報を収集する、ステップと、
（ｂ）サンプルとなる圃場に関する情報と前記サンプルとなる圃場で生産された農作物の実績に関する情報との関係を、機械学習することによって作成された、予測モデルに、前記情報収集部によって収集された前記情報を、適用することによって、１又は２以上の農作物について、前記特定の圃場において栽培した場合の実績の予測値を算出する、ステップと、
（ｃ）１又は２以上の農作物について算出された前記予測値に基づいて、前記特定の圃場において栽培に適した農作物を選出する、ステップと、
を有する、
ことを特徴とする。
【００１０】
更に、上記目的を達成するため、本発明の一側面におけるプログラムは、
コンピュータに、
（ａ）特定の圃場に関する情報を収集する、ステップと、
（ｂ）サンプルとなる圃場に関する情報と前記サンプルとなる圃場で生産された農作物の実績に関する情報との関係を、機械学習することによって作成された、予測モデルに、前記情報収集部によって収集された前記情報を、適用することによって、１又は２以上の農作物について、前記特定の圃場において栽培した場合の実績の予測値を算出する、ステップと、
（ｃ）１又は２以上の農作物について算出された前記予測値に基づいて、前記特定の圃場において栽培に適した農作物を選出する、ステップと、
を実行させる、
ことを特徴とする。
【発明の効果】
【００１１】
以上のように、本発明によれば、専門的な知識を必要とすることなく、対象となる圃場での栽培に適した農作物の選定を可能にすることができる。
【図面の簡単な説明】
【００１２】
【図１】図１は、本発明の実施の形態１における栽培作物選定支援装置の概略構成を示すブロック図である。
【図２】図２は、本発明の実施の形態における栽培作物選定支援装置の具体的構成を示すブロック図である。
【図３】図３（ａ）は、本発明の実施の形態１において、予測モデルの作成に用いられた目的変数及び説明変数の一例を示す図であり、図３（ｂ）は、本発明の実施の形態１において作成される予測モデルの一例を示す図である。
【図４】図４は、本発明の実施の形態１における栽培作物選定支援装置の予測モデル作成時の動作を示すフロー図である。
【図５】図５は、本発明の実施の形態１における栽培作物選定支援装置の栽培作物の選出時の動作を示すフロー図である。
【図６】図６は、本発明の実施の形態２における栽培作物選定支援装置の概略構成を示すブロック図である。
【図７】図７は、本発明の実施の形態２における栽培作物選定支援装置のアドバイス作成時の動作を示すフロー図である。
【図８】図８は、本発明の実施の形態１及び２における栽培作物選定支援装置を実現するコンピュータの一例を示すブロック図である。
【発明を実施するための形態】
【００１３】
（実施の形態１）
以下、本発明の実施の形態１における、栽培作物選定支援装置、栽培作物選定支援方法、及びプログラムについて、図１〜図５を参照しながら説明する。
【００１４】
［装置構成］
最初に、本実施の形態１における栽培作物選定支援装置の概略構成について説明する。図１は、本発明の実施の形態１における栽培作物選定支援装置の概略構成を示すブロック図である。
【００１５】
図１に示す、本実施の形態における、栽培作物選定支援装置１０は、農業事業者であるユーザが、特定の圃場において栽培する農作物を選定する際において、その選定を支援するための装置である。図１に示すように、栽培作物選定支援装置１０は、情報収集部１１と、予測値算出部１２と、農作物選出部１３とを備えている。
【００１６】
情報収集部１１は、特定の圃場に関する情報を収集する。予測値算出部１２は、予測モデル１４に、情報収集部１１によって収集された情報を、適用することによって、１又は２以上の農作物について、特定の圃場において栽培した場合の実績の予測値を算出する。また、予測モデルは、サンプルとなる圃場に関する情報とサンプルとなる圃場で生産された農作物の実績に関する情報との関係を、機械学習することによって作成された、モデルである。農作物選出部１３は、１又は２以上の農作物について算出された予測値に基づいて、特定の圃場において栽培に適した農作物を選出する。
【００１７】
このように、本実施の形態１では、予測モデル１４に、圃場に関する情報を適用するだけで、その圃場で農作物を栽培した場合の予測値が得られ、更に、栽培に適した農作物も選出される。このため、本実施の形態１によれば、ユーザは、専門的な知識を有していなくても、圃場での栽培に適した農作物を選定することができる。
【００１８】
続いて、図２を用いて、本実施の形態１における栽培作物選定支援装置の具体的構成について説明する。図２は、本発明の実施の形態における栽培作物選定支援装置の具体的構成を示すブロック図である。
【００１９】
図２に示すように、本実施の形態１における栽培作物選定支援装置１０は、上述した、情報収集部１１、予測値算出部１２、及び農作物選出部１３に加えて、予測モデル作成部１５を備えている。予測モデル作成部１５は、サンプルとなる圃場に関する情報を説明変数とし、サンプルとなる圃場で生産された農作物の実績に関する情報を目的変数として、機械学習を実行することによって、予測モデル１４を作成する。
【００２０】
ここで、目的変数となる「農作物の実績に関する情報」としては、例えば、収量、品質、売り上げ（利益）等が挙げられる。品質としては、ｐＨ、色、粘度、糖度（Ｂｒｉｘ）、リコピン含量、ポリフェノール含量、官能試験結果等が挙げられる。また、品質の値は、平均値、最大値、及び最小値のいずれであっても良い。
【００２１】
また、情報収集部１１によって収集される「圃場に関する情報」及び説明変数となる「
圃場に関する情報」としては、栽培された農作物の品種、圃場の土壌の特性に関する情報、及び圃場の環境に関する情報を含む情報が挙げられる。
【００２２】
「圃場の土壌の特性に関する情報」としては、土壌物理性、土壌化学性、土壌生物性、圃場の位置座標（緯度及び経度）等が挙げられる。より詳細には、土壌物理性としては、特定の成分（粘土、シルト、砂等）の含有率、単位容積重量、飽和透水係数、水分保持曲線等が挙げられる。土壌化学性としては、ｐＨ、特定の元素の含有率、陽イオン交換容量、電気伝導度等が挙げられる。土壌生物性としては、土壌生物叢（土壌中に存在する生物種および量）等が挙げられる。
【００２３】
また、「圃場の環境に関する情報」としては、気象情報、営農情報等が挙げられる。より詳細には、気象情報としては、単位時間毎の、気温、湿度、日射量、風速、風向、降雨量等が挙げられる。営農情報としては、所定期間毎の、灌漑量、施肥量、薬剤散布量、耕起回数、除草回数等が挙げられる。
【００２４】
予測モデル作成部１５は、上述した説明変数と目的変数とに対して、線形回帰（重回帰、Ridge回帰、lasso、fused lasso、主成分回帰、partial least square回帰等）、又は非線形回帰（決定木、ガウス過程、ニューラルネットワーク等）を用いて、機械学習を行うことができる。予測モデルの学習に用いる手法は、事前に規定されていても良いし、複数の手法の中から自動で採用されても良い。後者の場合は、予測モデル作成部１５は、上述した説明変数と目的変数とに対して、複数の手法を適用し、事前に規定しておいた指標（予測誤差、計算時間等）が最も良い値を示した手法を採用する。以下に予測モデル１４の具体例について説明する。
【００２５】
例えば、注目する指標（収量、糖度、売り上げ等）を目的変数ｙとし、説明変数ベクトルをxとすると、予測モデル作成部１５は、品種１、品種２、・・・品種ｎのそれぞれ毎に、下記の数１に示される予測モデルを作成する。
【００２６】
（数１）
ｙ＝ｆ１（ｘ）：品種１の予測モデル
ｙ＝ｆ２（ｘ）：品種２の予測モデル
・・・
ｙ＝ｆｎ（ｘ）：品種ｎの予測モデル
【００２７】
この場合、予測値算出部１２は、情報収集部１１が収集した、特定の圃場における、例えば、砂の含有率、ｐＨ、窒素含有率、平均気温等を説明変数ベクトルｘとして、各予測モデルに入力し、品種毎に、予測値ｙを算出する。そして、農作物選出部１３は、予測値ｙが最も高い品種を、栽培に適した農作物として選出する。
【００２８】
また、着目する指標が、例えば２つである場合は、目的変数をｙ１及びｙ２とし、説明変数ベクトルをｘとする。この場合、予測モデル作成部１５は、品種１、品種２、・・・品種ｎそれぞれ毎に、目的変数ｙ１について下記の数２に示す予測モデルを作成し、目的変数ｙ２について下記の数３に示す予測モデルを作成する。
【００２９】
（数２）
ｙ１＝ｆ１１（ｘ）：品種１のｙ１の予測モデル
ｙ１＝ｆ１２（ｘ）：品種２のｙ１の予測モデル
・・・
ｙ１＝ｆ１ｎ（ｘ）：品種nのｙ１の予測モデル
【００３０】
（数３）
ｙ２＝ｆ２１（ｘ）：品種１のｙ２の予測モデル
ｙ２＝ｆ２２（ｘ）：品種２のｙ２の予測モデル
… 
ｙ２＝ｆ２ｎ（ｘ）：品種ｎのｙ２の予測モデル
【００３１】
この場合、予測値算出部１２は、情報収集部１１が収集した、特定の圃場における、砂の含有率、ｐＨ、窒素含有率、平均気温等を説明変数ベクトルｘとして、各予測モデルに入力し、品種毎に、予測値ｙ１及びｙ２を算出する。
【００３２】
また、着目する指標が、例えば２つである場合は以下の数４又は数５で示される関数が定義される。従って、農作物選出部１３は、下記の数４又は数５の関数を用いて、ｙの値を算出し、ｙの値が最も高い品種を、栽培に適した農作物として選出する。なお、数４又は数５のどちらかを利用するかは目的変数に応じてシステム管理者やユーザが任意に設定できる。また、数４に示す関数において、重みｗ１及びｗ２は、目的変数の重要性に応じてシステム管理者やユーザが任意に設定できる。
【００３３】
（数４）
ｙ＝ｇ（ｙ１，ｙ２）＝ｗ１ｙ１＋ｗ２ｙ２
【００３４】
（数５）
ｙ＝ｇ（ｙ１，ｙ２）＝ｙ１ｙ２
【００３５】
ここで、図３を用いて、予測モデル及びそれを用いた農作物の選出の具体例について説明する。図３（ａ）は、本発明の実施の形態１において、予測モデルの作成に用いられた目的変数及び説明変数の一例を示す図であり、図３（ｂ）は、本発明の実施の形態１において作成される予測モデルの一例を示す図である。
【００３６】
図３（ａ）に示すように、本実施の形態１では、各圃場における収量及び農作物の糖度（例えば平均値）が、目的変数として用いられている。また、圃場毎の、栽培された農作物の品種、砂の含有率、ｐＨ、窒素含有率、平均気温等が説明変数として用いられている。
【００３７】
そして、図３（ａ）に示した目的変数と説明変数とが用いられると、図３（ｂ）に示すように、予測モデル作成部１５は、品種１及び品種２それぞれについて、収量を予測するための予測モデルと、糖度を予測するための予測モデルとを作成することができる。
【００３８】
この場合、予測値算出部１２は、図３（ｂ）に示す予測モデル１４に、情報収集部１１が収集した、特定の圃場における、砂の含有率、ｐＨ、窒素含有率、平均気温等を入力し、品種１及び品種２それぞれについて、収量及び糖度の予測値を算出する。
【００３９】
また、農作物選出部１３は、上記数式の数５を用いて、品種毎に、収量と糖度との積を算出する。そして、農作物選出部１３は、算出された積の値が高い品種を、特定の圃場において栽培に適した農作物として選出する。
【００４０】
例えば、品種１において、収量ｙ１＝１０５ｔ／ｈａ、糖度ｙ２＝５．７％であり、品種２において、収量ｙ１＝１００ｔ／ｈａ、糖度ｙ２＝６．２％であるとする。この場合、品種１の予測値ｙが５．９６、品種２の予測値ｙが６．２０であるので、農作物選出部１３は、品種２を、栽培に適した農作物として選出する。
【００４１】
［装置動作］
次に、本実施の形態１における栽培作物選定支援装置１０の動作について、図４及び図５を用いて説明する。以下の説明においては、適宜図１〜図３を参照する。また、本実施の形態１では、栽培作物選定支援装置１０を動作させることによって、栽培作物選定支援方法が実施される。よって、本実施の形態１における栽培作物選定支援方法の説明は、以下の栽培作物選定支援装置１０の動作説明に代える。
【００４２】
まず、図４を用いて、本実施の形態１における栽培作物選定支援装置１０における予測モデルの作成処理について説明する。図４は、本発明の実施の形態１における栽培作物選定支援装置の予測モデル作成時の動作を示すフロー図である。
【００４３】
図４に示すように、最初に、情報収集部１１は、説明変数となる圃場に関する情報と、目的変数となる農作物の実績に関する情報とを収集する（ステップＡ１）。
【００４４】
具体的には、情報収集部１１は、インターネット等のネットワークを介して、外部のデータベース、又はユーザ等の端末装置から、これらの情報を収集する。また、情報収集部１１は、圃場に設置されたセンサから取得可能な情報、例えば、気象情報については、これらのセンサから収集しても良い。
【００４５】
また、ステップＡ１において収集される、圃場に関する情報（説明変数）は、後述の図５に示す処理が過去に実施された際に収集された情報であっても良い。また、この場合、ステップＡ１において収集される、圃場で生産された農作物の実績に関する情報（目的変数）は、上述の実施が行われた年度の実績から得られた情報であるのが良い。
【００４６】
次に、予測モデル作成部１５は、ステップＡ１で取得した情報を用いて、機械学習を実行することによって予測モデル１４を作成する（ステップＡ２）。
【００４７】
具体的には、図３に示したように、予測モデル作成部１５は、ユーザが着目する指標及び品種に応じて、１又は２以上の予測モデル１４を作成する。このようにして作成された予測モデル１４は、次に示す栽培作物の選出処理に使用される。
【００４８】
続いて、図５を用いて、本実施の形態１における栽培作物選定支援装置１０における栽培作物の選出処理について説明する。図５は、本発明の実施の形態１における栽培作物選定支援装置の栽培作物の選出時の動作を示すフロー図である。
【００４９】
図５に示すように、最初に、情報収集部１１は、ユーザによって指定された特定の圃場に関する情報を収集する（ステップＢ１）。
【００５０】
具体的には、ユーザが、自身の端末装置を介して、圃場を特定するような情報を入力すると、情報収集部１１は、その圃場に関連する情報を、インターネット等のネットワークを介して、外部のデータベース、又はユーザ等の端末装置、又は圃場に設置されたセンサ等から収集する。
【００５１】
このとき、情報収集部１１は、作物選定時点では確定していない情報（栽培期間における気象情報、営農情報等）については、平年値、過去実績平均値などの情報を収集し、収集した情報を説明変数とする。また、情報収集部１１は、予報値（気象予測等）、計画値（営農計画等）が利用できる場合には、それらを説明変数として利用することもできる。
【００５２】
次に、予測値算出部１２は、ステップＢ１で収集された情報を、図４に示したステップＡ２で作成された予測モデル１４に入力して、ユーザが着目する指標及び品種について、
予測値を算出する（ステップＢ２）。
【００５３】
次に、農作物選出部１３は、ステップＢ２で算出された予測値に基づいて、特定の圃場において栽培に適した農作物を選出する（ステップＢ３）。また、ステップＢ３が実行されると、栽培作物選定支援装置１０は、選出された農作物を特定する情報（以下「栽培作物情報」と表記する。）を、ユーザの端末装置に送信する。これにより、ユーザは、指定した圃場での栽培に適した農作物を知ることができる。
【００５４】
［実施の形態１における効果］
以上のように本実施の形態１では、ユーザは、圃場に関する情報を用意するだけで、この圃場での栽培に適した農作物を知ることができる。つまり、本実施の形態１によれば、ユーザは、専門的な知識を有していなくても、圃場での栽培に適した農作物を選定することができる。
【００５５】
［変形例］
続いて、本実施の形態における変形例について説明する。本変形例では、情報収集部１１によって収集される「圃場に関する情報」及び説明変数となる「圃場に関する情報」に、圃場において測定された土壌光学反射スペクトルデータが含まれている。具体的には、圃場の土壌の特性に関する情報として、土壌光学反射スペクトルデータを用いることができる。
【００５６】
土壌光学反射スペクトルデータは、様々な波長の光を圃場の地表面にあてたときの反射率を測定することによって得られたデータである。土壌光学反射スペクトルデータとしては、例えば、マルチスペクトルセンサデータ、マルチスペクトルカメラデータ、ハイパースペクトルセンサデータ、ハイパースペクトルカメラデータ等が挙げられる。
【００５７】
土壌光学反射スペクトルデータの測定は、専用の測定機器、例えば、マルチスペクトルセンサ、マルチスペクトルカメラ、ハイパースペクトルセンサ、ハイパースペクトルカメラ等を用いて行われる。また、測定手法としては、作業者が、測定対象となる圃場の代表地点において、測定機器によって地表面（裸地）を直接測定する手法、ドローン、バルーン、航空機といった飛行体、又は人工衛星に測定機器を搭載し、上空から測定する方法が挙げられる。
【００５８】
また、測定機器で得られるデータは、地表面のみからしか得られないため、測定の際は、予め、耕耘機などで土壌を耕起及び攪拌して、地表から作土層までを、ある程度均質化しておくのが良い。
【００５９】
また、測定機器として、マルチスペクトルセンサ、又はハイパースペクトルセンサを利用する場合は、測定範囲が狭いため、圃場内に複数の代表点を設定し、点毎に測定が行われるのが良い。一方、測定機器として、マルチスペクトルカメラ、又はハイパースペクトルカメラを利用する場合は、測定範囲は広くなるため、高高度から、測定対象となる圃場全体が画角に収まるようにして、測定が行われても良いし、圃場全体を複数の画像に分けて撮影し、これらをモザイク上につなぎ合わせすることで、測定が行われても良い。
【００６０】
土壌光学反射スペクトルデータは、上述した、土壌物理性、土壌化学性、及び土壌生物性の代わりとして用いられても良いし、これとの組み合わせて用いられても良い。土壌光学反射スペクトルデータの取得は、土壌物理性、土壌化学性、及び土壌生物性の取得に比べて容易であるため、前者の場合は、栽培作物選定支援装置１０の運用にかかる費用を削減できる。一方、後者の場合は、選定精度の向上が図られる。
【００６１】
［プログラム］
本実施の形態におけるプログラムは、コンピュータに、図４に示すステップＡ１及びＡ２、図５に示すステップＢ１〜Ｂ３を実行させるプログラムであれば良い。このプログラムをコンピュータにインストールし、実行することによって、本実施の形態１における栽培作物選定支援装置１０と栽培作物選定支援方法とを実現することができる。この場合、コンピュータのプロセッサは、情報収集部１１、予測値算出部１２、農作物選出部１３、及び予測モデル作成部１５として機能し、処理を行なう。
【００６２】
また、本実施の形態１におけるプログラムは、複数のコンピュータによって構築されたコンピュータシステムによって実行されても良い。この場合は、例えば、各コンピュータが、それぞれ、情報収集部１１、予測値算出部１２、農作物選出部１３、及び予測モデル作成部１５のいずれかとして機能しても良い。
【００６３】
（実施の形態２）
次に、本発明の実施の形態２における、栽培作物選定支援装置、栽培作物選定支援方法、及びプログラムについて、図６及び図７を参照しながら説明する。
【００６４】
［装置構成］
最初に、本実施の形態２における栽培作物選定支援装置の構成について説明する。図６は、本発明の実施の形態２における栽培作物選定支援装置の概略構成を示すブロック図である。
【００６５】
図２に示すように、本実施の形態２における栽培作物選定支援装置２０は、図１及び図２に示した実施の形態１における栽培作物選定支援装置と同様の構成に加え、更に、アドバイス作成部１６を備えている。つまり、栽培作物選定支援装置２０は、情報収集部１１と、予測値算出部１２と、農作物選出部１３と、予測モデル作成部１５と、アドバイス作成部１６とを備えている。
【００６６】
このうち、情報収集部１１、予測値算出部１２、農作物選出部１３、及び予測モデル作成部１５は、本実施の形態２においても、実施の形態１と同様に機能する。また、本実施の形態２においても、情報収集部１１によって収集される「圃場に関する情報」及び説明変数となる「圃場に関する情報」は、圃場の土壌の特性に関する情報を含んでいる。
【００６７】
アドバイス作成部１６は、予測モデル１４において、説明変数に設定されている重み、又は説明変数を変化させたときの目的変数の変化量に基づいて、特定の圃場の土壌の改良についてのアドバイスを作成する。
【００６８】
ここで、アドバイス作成部１６の機能についてより詳細に説明する。まず、予測モデル１４が、線形回帰によって作成された線形モデルである場合について説明する。
【００６９】
例えば、注目する指標を目的変数ｙとし、土壌特性に関連する説明変数のベクトルをｘｓｏｉｌ、それ以外の説明変数のベクトルをｘｏｔｈｅｒとする。この場合、予測モデル作成部１５によって作成さえる予測モデルは、下記の数６に示す通りとなる。なお、ｃｏｎｓｔａｎｔは定数項をまとめて表現した項である。
【００７０】
（数６）
ｙ＝ｆ１（ｘｓｏｉｌ，ｘｏｔｈｅｒ）＋ｃｏｎｓｔａｎｔ：品種１の予測モデル
ｙ＝ｆ２（ｘｓｏｉｌ，ｘｏｔｈｅｒ）＋ｃｏｎｓｔａｎｔ：品種２の予測モデル
・・・
ｙ＝ｆｎ（ｘｓｏｉｌ，ｘｏｔｈｅｒ）＋ｃｏｎｓｔａｎｔ：品種ｎの予測モデル
【００７１】
上記数６において、品種１について考える。関数ｆ１は、線形モデルなので、学習データから学習した重みベクトルｗｓｏｉｌ及びｗｏｔｈｅｒを用いると、上記数６の品種１の予測モデルは、下記の数７に示すように表すことができる。
【００７２】
（数７）
ｙ＝ｗｓｏｉｌＴ・ｘｓｏｉｌ＋ｗｏｔｈｅｒＴ・ｘｏｔｈｅｒ＋ｃｏｎｓｔａｎｔ
【００７３】
このため、アドバイス作成部１６は、重みベクトルｗｓｏｉｌにおいて、重みが正の説明変数を特定し、特定した説明変数の値を大きくする土壌改良を、アドバイスとして作成する。また、アドバイス作成部１６は、作成したアドバイスを、ユーザの端末装置に送信する。
【００７４】
例えば、収量を目的変数としたときに、説明変数である土壌の窒素含量数の重みが正値である場合、土壌窒素含量が増えるように窒素肥料が投入されれば、収量が増大する。従って、この場合は、アドバイス作成部１６は、窒素肥料の投入を指示するアドバイスを作成する。一方、説明変数である土壌の窒素含量の重みが負値である場合は、アドバイス作成部１６は、これ以上窒素肥料を投入しないように指示するアドバイスを作成する。
【００７５】
また、アドバイス作成部１６は、各土壌特性ｘｓｏｉｌに対し、実行可能範囲（上限及び下限）を設定し、線形最適化を施すことで、目的変数ｙを最大化するために必要な土壌特性を一括で求めることもできる。
【００７６】
更に、アドバイス作成部１６は、上述したアドバイスの作成を品種毎に実施し、土壌改良による潜在的なｙの最大値を予測することができる。この場合、与えられた条件ｘにおいて最適だった品種と、アドバイスに基づいて土壌改良を実施したときに最適となる品種とが異なることも考えられる。このため、アドバイス作成部１６は、この場合、土壌改良を実施しない場合の最適品種と、土壌改良を実施した場合の最適品種及び必要となる土壌特性値と、の２パターンを、ユーザに提示しても良い。ユーザは、２パターンがあることを知ることができ、いずれかを選択できる。
【００７７】
加えて、本実施の形態２では、予測モデル作成部１５は、情報収集部１１から、施肥などの土壌特性が変化する営農前の土壌分析結果ｘｂｅｆｏｒｅと、その後の営農内容ｘａｃｔｉｖｉｔｙと、営農実施後の土壌分析結果ｘｓｏｉｌとを収集することができる。そして、予測モデル作成部１５は、この場合、当該営農が土壌特性に与える影響をモデル化することができる。線形回帰によるモデル化を実施した場合、得られるモデルは、下記の数８に示すとおりである。
【００７８】
（数８）
ｘｓｏｉｌ＝ｗｂｅｆｏｒｅＴ・ｘｂｅｆｏｒｅ＋ｗａｃｔｉｖｉｔｙＴ・ｘａｃｔｉｖｉｔｙ
＋ｃｏｎｓｔａｎｔ
【００７９】
この場合、アドバイス作成部１６は、数８に示すモデルを用いることで、必要な土壌特性値を実現するために必要となる営農を導出することが可能となる。また、数８を数７に代入した結果は、下記の数９に示すとおりである。
【００８０】
（数９）
ｙ＝ｗｓｏｉｌＴ・ｘｓｏｉｌ ＋ ｗｏｔｈｅｒＴ・ｘｏｔｈｅｒ＋ｃｏｎｓｔａｎｔ
＝ｗｓｏｉｌＴ・（ｗｂｅｆｏｒｅＴ・ｘｂｅｆｏｒｅ＋ｗａｃｔｉｖｉｔｙＴ・ｘａ
ｃｔｉｖｉｔｙ
＋ ｗｏｔｈｅｒＴ・ｘｏｔｈｅｒ＋ｃｏｎｓｔａｎｔ
【００８１】
上記数９に示すモデルを用いる場合、アドバイス作成部１６は、線形最適化を適用して、効率よくｙが最大となる営農内容ｘａｃｔｉｖｉｔｙを探索し、得られた営農内容をユーザに提示することができる。
【００８２】
また、本実施の形態２においても、圃場の土壌の特性に関する情報として、土壌光学反射スペクトルデータを用いることができる。ここで、土壌光学反射スペクトルを、ｘｓｐｅｃｔｒｕｍとすると、着目する指標である目的変数ｙの予測モデルは、線形回帰によりモデル化した場合、下記の数１０に示すとおりとなる。
【００８３】
（数１０）
ｙ＝ｗｓｐｅｃｔｒｕｍＴ・ｘｓｐｅｃｔｒｕｍ ＋ ｗｏｔｈｅｒＴ・ｘｏｔｈｅｒ＋ｃｏｎｓｔａｎｔ
【００８４】
この場合、予測モデル作成部１５は、土壌特性に関連する説明変数のベクトル（土壌特性データ）ｘｓｏｉｌから、土壌光学反射スペクトルデータｘｓｐｅｃｔｒｕｍを予測するためのモデルを作成することができる。線形回帰によりモデル化した場合、このモデルは、下記の数１１に示すとおりとなる。
【００８５】
（数１１）
ｘｓｐｅｃｔｒｕｍ＝ｗｓｏｉｌＴ・ｘｓｏｉｌ＋ｃｏｎｓｔａｎｔ
【００８６】
よって、上記数１０は、下記の数１２のように表すことができる。
【００８７】
（数１２）
ｙ＝ｗｓｐｅｃｔｒｕｍＴ・（ｗｓｏｉｌＴ・ｘｓｏｉｌ）＋ｗｏｔｈｅｒＴ・ｘｏｔｈｅｒ
＋ｃｏｎｓｔａｎｔ
＝ｗｓｐｅｃｔｒｕｍＴ・（ｗｓｏｉｌＴ・（ｗｂｅｆｏｒｅＴ・ｘｂｅｆｏｒｅ＋
＋ｗａｃｔｉｖｉｔｙＴ・ｘａｃｔｉｖｉｔｙ））
＋ｗｏｔｈｅｒＴ・ｘｏｔｈｅｒ＋ｃｏｎｓｔａｎｔ
【００８８】
従って、アドバイス作成部１６は、上記数１２を用いて、線形最適化を適用して、効率よくｙが最大となる営農内容ｘａｃｔｉｖｉｔｙを探索し、得られた営農内容をユーザに提示することができる。
【００８９】
続いて、予測モデル１４が、ニューラルネットワーク等による非線形回帰によって作成されている場合について説明する。非線形回帰において、説明変数の変動がどのように目的変数に影響するのかを、解析的に求めることは一般に困難である。
【００９０】
このため、アドバイス作成部１６は、土壌特性に関する説明変数ベクトルｘｓｏｉｌを種々の値に設定し、それらの入力についての出力（目的変数の予測値）を記録する、試行を、繰り返し実行する。そして、アドバイス作成部１６は、記録から、それまでの試行で出力が最大となった場合の説明変数ベクトルｘｓｏｉｌを特定し、特定した説明変数ベクトルｘｓｏｉｌを最適値とすることができる。
【００９１】
このとき、より効率的に最適値を探索するために、予測モデルの勾配が計算可能な場合
には、最急降下法等の勾配法、ニュートン法等の勾配法が適用できる。予測モデルの関数の形状がわからない（ブラックボックスである）場合でも、Particle Swarm OptimizationやBayesian Optimization等の最適化手法を適用することができる。
【００９２】
また、目的変数ｙが最大となる営農内容ｘａｃｔｉｖｉｔｙを求めたい場合も、アドバイス作成部１６は、線形モデルを用いたときと同様に、ｘａｃｔｉｖｉｔｙとｙとの関係をモデル化し、上記と同様に試行を繰り返すことで、ｘａｃｔｉｖｉｔｙの最適値を求めることができる。
【００９３】
［装置動作］
次に、本実施の形態２における栽培作物選定支援装置２０の動作について、図７を用いて説明する。図７は、本発明の実施の形態２における栽培作物選定支援装置のアドバイス作成時の動作を示すフロー図である。以下の説明においては、適宜図６を参照する。また、本実施の形態２では、栽培作物選定支援装置２０を動作させることによって、栽培作物選定支援方法が実施される。よって、本実施の形態２における栽培作物選定支援方法の説明は、以下の栽培作物選定支援装置２０の動作説明に代える。
【００９４】
また、本実施の形態２においても、図４に示すステップＡ１及びＡ２が実行されて、予測モデルが生成され、図５に示すステップＢ１〜Ｂ３が実行されて、栽培作物が選出される。
【００９５】
図７に示すように、最初に、アドバイス作成部１６は、ユーザからの品種の指定を受け付ける（ステップＣ１）。具体的には、ユーザは、端末装置を介して、アドバイスを求める品種を指定する。
【００９６】
次に、アドバイス作成部１６は、ステップＣ１で指定された品種についての土壌改良のアドバイスを作成するために、ステップＣ１で指定された品種の予測モデル１４を取得する（ステップＣ２）。
【００９７】
次に、アドバイス作成部１６は、取得した予測モデル１４を用いて、アドバイスを作成する（ステップＣ３）。具体的には、予測モデル１４が線形モデルの場合は、上記数７を用いて重みの値が正及び負のいずれであるかを判定し、判定結果に応じて、アドバイスを作成する。
【００９８】
その後、アドバイス作成部１６は、作成したアドバイスをユーザの端末装置に送信し、端末装置を介して、ユーザにアドバイスを提示する（ステップＣ４）。
【００９９】
［実施の形態２における効果］
以上のように本実施の形態２によれば、ユーザに対して、圃場の土壌改良についてのアドバイスを提示できるので、ユーザは、土壌改良を前提として、栽培作物を選定することもできる。また、本実施の形態２においても、実施の形態１と同様の効果を得ることができる。
【０１００】
［プログラム］
本実施の形態におけるプログラムは、コンピュータに、図４に示すステップＡ１及びＡ２、図５に示すステップＢ１〜Ｂ３、更には、図７に示すステップＣ１〜Ｃ４を実行させるプログラムであれば良い。このプログラムをコンピュータにインストールし、実行することによって、本実施の形態１における栽培作物選定支援装置２０と栽培作物選定支援方法とを実現することができる。この場合、コンピュータのプロセッサは、情報収集部１１、予測値算出部１２、農作物選出部１３、予測モデル作成部１５、及びアドバイス作成部
１６として機能し、処理を行なう。
【０１０１】
また、本実施の形態２におけるプログラムは、複数のコンピュータによって構築されたコンピュータシステムによって実行されても良い。この場合は、例えば、各コンピュータが、それぞれ、情報収集部１１、予測値算出部１２、農作物選出部１３、予測モデル作成部１５、及びアドバイス作成部１６のいずれかとして機能しても良い。
【０１０２】
（物理構成）
ここで、実施の形態１及び２におけるプログラムを実行することによって、栽培作物選定支援装置を実現するコンピュータについて図８を用いて説明する。図８は、本発明の実施の形態１及び２における栽培作物選定支援装置を実現するコンピュータの一例を示すブロック図である。
【０１０３】
図８に示すように、コンピュータ１１０は、ＣＰＵ（Central Processing Unit）１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。また、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【０１０４】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【０１０５】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【０１０６】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【０１０７】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【０１０８】
なお、本実施の形態１及び２における栽培作物選定支援装置は、プログラムがインストールされたコンピュータではなく、各部に対応したハードウェアを用いることによっても実現可能である。更に、栽培作物選定支援装置は、一部がプログラムで実現され、残りの部分がハードウェアで実現されていても良い。
【０１０９】
上述した実施の形態の一部又は全部は、以下に記載する（付記１）〜（付記１５）によって表現することができるが、以下の記載に限定されるものではない。
【０１１０】
（付記１）
特定の圃場に関する情報を収集する、情報収集部と、
サンプルとなる圃場に関する情報と前記サンプルとなる圃場で生産された農作物の実績に関する情報との関係を、機械学習することによって作成された、予測モデルに、前記情報収集部によって収集された前記情報を、適用することによって、１又は２以上の農作物について、前記特定の圃場において栽培した場合の実績の予測値を算出する、予測値算出部と、
１又は２以上の農作物について算出された前記予測値に基づいて、前記特定の圃場において栽培に適した農作物を選出する、農作物選出部と、
を備えている、
ことを特徴とする栽培作物選定支援装置。
【０１１１】
（付記２）
付記１に記載の栽培作物選定支援装置であって、
前記サンプルとなる圃場に関する情報を説明変数とし、前記サンプルとなる圃場で生産された農作物の実績に関する情報を目的変数として、機械学習を実行することによって、前記予測モデルを作成する、予測モデル作成部を更に備えている、
ことを特徴とする栽培作物選定支援装置。
【０１１２】
（付記３）
付記２に記載の栽培作物選定支援装置であって、
前記特定の圃場に関する情報及び前記サンプルとなる圃場に関する情報が、当該圃場の土壌の特性に関する情報を含み、
前記予測モデルにおける前記目的変数を増加させたときの前記説明変数の変化量と、前記予測モデルにおいて前記説明変数に設定されている重みとに基づいて、前記特定の圃場の土壌の改良についてのアドバイスを作成する、アドバイス作成部を更に備えている、
ことを特徴とする栽培作物選定支援装置。
【０１１３】
（付記４）
付記１または２に記載の栽培作物選定支援装置であって、
前記特定の圃場に関する情報及び前記サンプルとなる圃場に関する情報が、当該圃場の土壌の特性に関する情報と、前記圃場の環境に関する情報とを含む、
ことを特徴とする栽培作物選定支援装置。
【０１１４】
（付記５）
付記１または２に記載の栽培作物選定支援装置であって、
前記特定の圃場に関する情報及び前記サンプルとなる圃場に関する情報が、当該圃場において測定された土壌光学反射スペクトルデータを含む、
ことを特徴とする栽培作物選定支援装置。
【０１１５】
（付記６）
（ａ）特定の圃場に関する情報を収集する、ステップと、
（ｂ）サンプルとなる圃場に関する情報と前記サンプルとなる圃場で生産された農作物の実績に関する情報との関係を、機械学習することによって作成された、予測モデルに、前記（ａ）のステップによって収集された前記情報を、適用することによって、１又は２以上の農作物について、前記特定の圃場において栽培した場合の実績の予測値を算出する、ステップと、
（ｃ）１又は２以上の農作物について算出された前記予測値に基づいて、前記特定の圃場において栽培に適した農作物を選出する、ステップと、
を有する、
ことを特徴とする栽培作物選定支援方法。
【０１１６】
（付記７）
付記６に記載の栽培作物選定支援方法であって、
（ｄ）前記サンプルとなる圃場に関する情報を説明変数とし、前記サンプルとなる圃場で生産された農作物の実績に関する情報を目的変数として、機械学習を実行することによって、前記予測モデルを作成する、ステップを更に有している、
ことを特徴とする栽培作物選定支援方法。
【０１１７】
（付記８）
付記７に記載の栽培作物選定支援方法であって、
前記特定の圃場に関する情報及び前記サンプルとなる圃場に関する情報が、当該圃場の土壌の特性に関する情報を含み、
当該栽培作物選定支援方法が、
（ｅ）前記予測モデルにおける前記目的変数を増加させたときの前記説明変数の変化量と、前記予測モデルにおいて前記説明変数に設定されている重みとに基づいて、前記特定の圃場の土壌の改良についてのアドバイスを作成する、ステップを更に有している、
ことを特徴とする栽培作物選定支援方法。
【０１１８】
（付記９）
付記６または７に記載の栽培作物選定支援方法であって、
前記特定の圃場に関する情報及び前記サンプルとなる圃場に関する情報が、当該圃場の土壌の特性に関する情報と、前記圃場の環境に関する情報とを含む、
ことを特徴とする栽培作物選定支援方法。
【０１１９】
（付記１０）
付記６または７に記載の栽培作物選定支援方法であって、
前記特定の圃場に関する情報及び前記サンプルとなる圃場に関する情報が、当該圃場において測定された土壌光学反射スペクトルデータを含む、
ことを特徴とする栽培作物選定支援方法。
【０１２０】
（付記１１）
コンピュータに、
（ａ）特定の圃場に関する情報を収集する、ステップと、
（ｂ）サンプルとなる圃場に関する情報と前記サンプルとなる圃場で生産された農作物の実績に関する情報との関係を、機械学習することによって作成された、予測モデルに、前記（ａ）のステップによって収集された前記情報を、適用することによって、１又は２以上の農作物について、前記特定の圃場において栽培した場合の実績の予測値を算出する、ステップと、
（ｃ）１又は２以上の農作物について算出された前記予測値に基づいて、前記特定の圃場において栽培に適した農作物を選出する、ステップと、
を実行させる、
ことを特徴とするプログラム。
【０１２１】
（付記１２）
付記１１に記載のプログラムであって、
前記コンピュータに、
（ｄ）前記サンプルとなる圃場に関する情報を説明変数とし、前記サンプルとなる圃場で生産された農作物の実績に関する情報を目的変数として、機械学習を実行することによって、前記予測モデルを作成する、ステップを更に実行させる、
ことを特徴とするプログラム。
【０１２２】
（付記１３）
付記１２に記載のプログラムであって、
前記特定の圃場に関する情報及び前記サンプルとなる圃場に関する情報が、当該圃場の土壌の特性に関する情報を含み、
前記コンピュータに、
（ｅ）前記予測モデルにおける前記目的変数を増加させたときの前記説明変数の変化量と、前記予測モデルにおいて前記説明変数に設定されている重みとに基づいて、前記特定の圃場の土壌の改良についてのアドバイスを作成する、ステップを更に実行させる、
ことを特徴とするプログラム。
【０１２３】
（付記１４）
付記１１または１２に記載のプログラムであって、
前記特定の圃場に関する情報及び前記サンプルとなる圃場に関する情報が、当該圃場の土壌の特性に関する情報と、前記圃場の環境に関する情報とを含む、
ことを特徴とするプログラム。
【０１２４】
（付記１５）
付記１１または１２に記載のプログラムであって、
前記特定の圃場に関する情報及び前記サンプルとなる圃場に関する情報が、当該圃場において測定された土壌光学反射スペクトルデータを含む、
ことを特徴とするプログラム。
【産業上の利用可能性】
【０１２５】
以上のように、本発明によれば、専門的な知識を必要とすることなく、対象となる圃場での栽培に適した農作物の選定を可能にすることができる。本発明は、農業分野において有用である。
【符号の説明】
【０１２６】
１０  栽培作物選定支援装置（実施の形態１）
１１  情報収集部
１２  予測値算出部
１３  農作物選出部
１４  予測モデル
１５  予測モデル作成部
１６  アドバイス作成部
２０  栽培作物選定支援装置（実施の形態２）
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019160246.tif 000003
【図２】
2019160246.tif 000004
【図３】
2019160246.tif 000005
【図４】
2019160246.tif 000006
【図５】
2019160246.tif 000007
【図６】
2019160246.tif 000008
【図７】
2019160246.tif 000009
【図８】
2019160246.tif 000010
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
特定の圃場に関する情報を収集する、情報収集部と、
サンプルとなる圃場に関する情報と前記サンプルとなる圃場で生産された農作物の実績に関する情報との関係を、機械学習することによって作成された、予測モデルに、前記情報収集部によって収集された前記情報を、適用することによって、２以上の農作物について、前記特定の圃場において栽培した場合の実績の予測値を算出する、予測値算出部と、
２以上の農作物について算出された前記予測値に基づいて、前記特定の圃場において栽培に適した農作物を選出する、農作物選出部と、
前記サンプルとなる圃場に関する情報を説明変数とし、前記サンプルとなる圃場で生産された農作物の実績に関する情報を目的変数として、機械学習を実行することによって、前記予測モデルを作成する、予測モデル作成部と、
農作物が指定されたときに、指定された農作物について作成された前記予測モデルにおける前記目的変数を増加させたときの前記説明変数の変化量と、指定された農作物について作成された前記予測モデルにおいて前記説明変数に設定されている重みとに基づいて、指定された農作物についての前記特定の圃場の土壌の改良のアドバイスを作成する、アドバイス作成部と、
を備えている、
ことを特徴とする栽培作物選定支援装置。
【請求項２】
請求項１に記載の栽培作物選定支援装置であって、
前記特定の圃場に関する情報及び前記サンプルとなる圃場に関する情報が、当該圃場の土壌の特性に関する情報と、前記圃場の環境に関する情報とを含む、
ことを特徴とする栽培作物選定支援装置。
【請求項３】
請求項１に記載の栽培作物選定支援装置であって、
前記特定の圃場に関する情報及び前記サンプルとなる圃場に関する情報が、当該圃場において測定された土壌光学反射スペクトルデータと、前記圃場の環境に関する情報とを含む、
ことを特徴とする栽培作物選定支援装置。
【請求項４】
（ａ）コンピュータによって、特定の圃場に関する情報を収集する、ステップと、
（ｂ）前記コンピュータによって、サンプルとなる圃場に関する情報と前記サンプルとなる圃場で生産された農作物の実績に関する情報との関係を、機械学習することによって作成された、予測モデルに、前記（ａ）のステップによって収集された前記情報を、適用することによって、２以上の農作物について、前記特定の圃場において栽培した場合の実績の予測値を算出する、ステップと、
（ｃ）前記コンピュータによって、２以上の農作物について算出された前記予測値に基づいて、前記特定の圃場において栽培に適した農作物を選出する、ステップと、
（ｄ）前記コンピュータによって、前記サンプルとなる圃場に関する情報を説明変数とし、前記サンプルとなる圃場で生産された農作物の実績に関する情報を目的変数として、機械学習を実行することによって、前記予測モデルを作成する、ステップと、
（ｅ）前記コンピュータによって、農作物が指定されたときに、指定された農作物について作成された前記予測モデルにおける前記目的変数を増加させたときの前記説明変数の変化量と、指定された農作物について作成された前記予測モデルにおいて前記説明変数に設定されている重みとに基づいて、指定された農作物についての前記特定の圃場の土壌の改良についてのアドバイスを作成する、ステップと、
を有する、
ことを特徴とする栽培作物選定支援方法。
【請求項５】
請求項４に記載の栽培作物選定支援方法であって、
前記特定の圃場に関する情報及び前記サンプルとなる圃場に関する情報が、当該圃場の土壌の特性に関する情報と、前記圃場の環境に関する情報とを含む、
ことを特徴とする栽培作物選定支援方法。
【請求項６】
請求項４に記載の栽培作物選定支援方法であって、
前記特定の圃場に関する情報及び前記サンプルとなる圃場に関する情報が、当該圃場において測定された土壌光学反射スペクトルデータと、前記圃場の環境に関する情報とを含む、
ことを特徴とする栽培作物選定支援方法。
【請求項７】
コンピュータに、
（ａ）特定の圃場に関する情報を収集する、ステップと、
（ｂ）サンプルとなる圃場に関する情報と前記サンプルとなる圃場で生産された農作物の実績に関する情報との関係を、機械学習することによって作成された、予測モデルに、前記（ａ）のステップによって収集された前記情報を、適用することによって、２以上の農作物について、前記特定の圃場において栽培した場合の実績の予測値を算出する、ステップと、
（ｃ）２以上の農作物について算出された前記予測値に基づいて、前記特定の圃場において栽培に適した農作物を選出する、ステップと、
（ｄ）前記サンプルとなる圃場に関する情報を説明変数とし、前記サンプルとなる圃場で生産された農作物の実績に関する情報を目的変数として、機械学習を実行することによって、前記予測モデルを作成する、ステップと、
（ｅ）農作物が指定されたときに、指定された農作物について作成された前記予測モデルにおける前記目的変数を増加させたときの前記説明変数の変化量と、指定された農作物について作成された前記予測モデルにおいて前記説明変数に設定されている重みとに基づいて、指定された農作物についての前記特定の圃場の土壌の改良についてのアドバイスを作成する、ステップと、
を実行させる、
ことを特徴とするプログラム。
【請求項８】
請求項７に記載のプログラムであって、
前記特定の圃場に関する情報及び前記サンプルとなる圃場に関する情報が、当該圃場の土壌の特性に関する情報と、前記圃場の環境に関する情報とを含む、
ことを特徴とするプログラム。
【請求項９】
請求項７に記載のプログラムであって、
前記特定の圃場に関する情報及び前記サンプルとなる圃場に関する情報が、当該圃場において測定された土壌光学反射スペクトルデータと、前記圃場の環境に関する情報とを含む、
ことを特徴とするプログラム。